(57)【特許請求の範囲】
【請求項１】
生地に取り付けられたスナップ部材の外し力を測定する装置であって、
生地に取り付けられたスナップ部材の周囲で生地を押さえる生地押さえ手段（２０）と、
スナップ部材をその側部から複数の把持部（６１Ａ）で把持するスナップ把持手段（６０）と、
スナップ把持手段（６０）によって把持されたスナップ部材にトルク伝達経路を介してトルクをかけるためトルク付加手段（５０）と、
スナップ把持手段（６０）によって把持されたスナップ部材を、生地押さえ手段（２０）によって押さえられた生地から相対的に引っ張る引張手段（３０）と、
引張手段（３０）による引っ張り力を測定する測定手段とを備えたスナップ部材の外し力測定装置。
【請求項２】
前記スナップ把持手段（６０）は、前記把持部（６１Ａ）によるスナップ部材に対する把持状態を一定の把持力にてロックするロック機構（８１、８２）を含む請求項１のスナップ部材の外し力測定装置。
【請求項３】
前記スナップ把持手段（６０）は、前記把持部（６１Ａ）をスナップ部材の側部に押し付けさせるための弾性部材（７２）を含み、前記ロック機構（８１、８２）は、ロック状態において、該弾性部材（７２）による把持部（６１Ａ）のスナップ部材に対する把持力を補強する請求項２のスナップ部材の外し力測定装置。
【請求項４】
前記ロック機構（８１、８２）は、スナップ部材の複数種類の径にそれぞれ対応する複数種類の把持力にて前記把持状態のロックを可能とする把持力調整手段（８１、８４）を含む請求項２又は３のスナップ部材の外し力測定装置。
【請求項５】
生地に取り付けられたスナップ部材をその側部から把持するためのスナップ把持装置（６０）であって、
スナップ部材の側部を把持部（６１Ａ）で把持する複数の把持部材（６１）と、
把持部材（６１）の把持部（６１Ａ）によるスナップ部材に対する把持状態を一定の把持力にてロックするロック機構（８１、８２）とを備えたスナップ把持装置。
【請求項６】
前記把持部材（６１）の把持部（６１Ａ）をスナップ部材の側部に押し付けさせるための弾性部材（７２）を備え、前記ロック機構（８１、８２）は、ロック状態において、該弾性部材（７２）による把持部（６１Ａ）のスナップ部材に対する把持力を補強する請求項５のスナップ把持装置。
【請求項７】
前記ロック機構（８１、８２）は、スナップ部材の複数種類の径にそれぞれ対応する複数種類の把持力にて前記把持状態のロックを可能とする把持力調整手段（８１、８４）を含む請求項５又は６のスナップ把持装置。
【請求項８】
生地に取り付けられたスナップ部材の外し力を測定する方法であって、
生地に取り付けられたスナップ部材の周囲で生地を押さえる工程と、
周囲の生地が押さえられたスナップ部材にトルク伝達経路を介してトルクをかけるトルク付加工程と、
トルク解除後、スナップ部材を周囲の生地から相対的に引っ張る工程と、
この引っ張り力を測定する工程とを含むスナップ部材の外し力測定方法。
【請求項９】
前記トルク付加工程前に、スナップ部材をその側部から複数の把持部（６１Ａ）で把持する工程と、前記把持部（６１Ａ）によるスナップ部材に対する把持状態を一定の把持力にてロックする工程とを含み、該トルク付加工程は、前記把持部（６１Ａ）にトルクを与え、これをスナップ部材に伝達するものである請求項８のスナップ部材の外し力測定方法。
【請求項１０】
前記トルク付加手段（５０）がスナップ把持手段（６０）によって把持されるスナップ部材の上方に配置され、引張手段（３０）がスナップ把持手段（６０）によって把持されるスナップ部材の下方に配置される請求項１のスナップ部材の外し力測定装置。
【発明の詳細な説明】
【技術分野】
【０００１】
本発明は、スナップ部材の外し力測定装置及び方法、並びにスナップ把持装置に関し、更に詳しくは、衣服等の生地に取り付けられた状態のスナップ部材にまずトルクをかけてからその外し力を測定するための装置及び方法と、このような外し力測定試験に使用するスナップ把持装置に関する。
【背景技術】
【０００２】
衣服、袋物等には、スナップファスナが大量に使用されている。スナップファスナは、スタッド部材と称される雄スナップ部材と、ソケット部材と称される雌スナップ部材とを弾発的に係脱させる構造（これら雄・雌スナップ部材を総称してスナップ部材といい、係脱させない飾り目的のものを含む）で、一般に、衣服等の生地が重ね合わされる面に対向して取り付けられる。この際、図１０に示すように、雌スナップ部材１及び雄スナップ部材２は、各生地５、６の対向する面とは反対側から、ブロング部材と称される取付部材３、４の複数本の突起等を生地５、６に貫通させた後、雄・雌スナップ部材１、２の外周部内で加締めることによって生地に固定される。
【０００３】
衣服等の生地に取り付けられたスナップ部材が生地から簡単に外れると、幼児がスナップ部材もしくは取付部材を飲み込んだりする虞があるため、スナップ部材の外し力は一定以上の値が保証される必要がある。このため、縫製工場などにおいては、スナップ部材の外し力について検査を行い、スナップ部材の外し力が一定以上の値となるように管理している。ちなみに、各国の縫製会社では、ヨーロッパ規格「BS EN71-1:Safety of Toy, Mechanical and physical properties」を準用し、スナップ部材の外し力が「90Ｎ  １０秒」以上として定めてある。
【０００４】
従前のスナップ部材の外し力測定装置としては、例えば、特開平９−３７８１１号公報、ＷＯ０３／１０２５２５Ａ１等に開示されたものが知られている。これらの装置は、生地に取り付けられたスナップ部材の周囲で生地を押さえる生地押さえ手段と、スナップ部材をその側部から把持するスナップ把持手段（拘束手段）と、スナップ把持手段によって把持されたスナップ部材を、生地押さえ手段によって押さえられた生地から引っ張る引張手段と、この引っ張り力を測定する測定手段とから構成されている。
【０００５】
上記スナップ把持手段は、スナップ部材の側部に先端部を係合させる三個のジョーと、ジョー先端係合部を軸部材を介してスナップ部材の半径方向内外に変位（開閉）可能に支持するジョー支持部材と、ジョー間に上方からテーパー部を出し入れすることにより、ジョー先端係合部を開閉させるジョー開閉駆動部材とを含む。更に、ジョー先端係合部によるスナップ部材の把持（チャック）は、ジョー開閉駆動部材をばねにより下方に付勢する（ばね式）か、又は、ねじ付きボルトに螺合するジョー開閉駆動部材を該ボルトに沿って下方に移動させる（ねじ式）ことによって行われている。
【０００６】
【特許文献１】特開平９−３７８１１号公報
【特許文献２】ＷＯ０３／１０２５２５Ａ１
【発明の開示】
【発明が解決しようとする課題】
【０００７】
しかしながら、以上のような従来装置による引っ張り試験で外し力が保証されたスナップ部材であっても、スナップ部材が生地（取付部材）に対してわずかでも回転（回動）すると、スナップ部材が外れやすくなる虞があり、幼児等の飲み込み事故に繋がり得る。
【０００８】
従って、本発明の第１の目的は、スナップ部材にトルクをかけた後の外し力を保証することができるスナップ部材の外し力測定装置及び方法と、そのような外し力測定試験に使用するスナップ把持装置を提供することにある。
【０００９】
また、スナップ部材にトルクをかけるため、スナップ部材を把持した上記ジョーにトルクを与えた場合、上記ばね式のスナップ把持手段では、ジョーがスナップ部材の側部上を滑ってしまい、必要なトルクがかけられず、また、ばね力を増やしても把持力を一定にできず、トルク付加工程にばらつきが生じるという問題があった。他方、ねじ式では、操作者が、ジョーがスナップ側部上を滑らないようにジョー開閉駆動部材を強固に締め付ける傾向があり、この場合、スナップ部材が変形して、後の引っ張り試験の精度が落ちたり、また、ジョー開閉駆動部材を回転させながらねじ付きボルトに沿って上下させるものであるため、作業効率が悪く、更に、この場合も一定の把持力を得ることができないといった問題があった。
【００１０】
従って、本発明の第２の目的は、トルク付加時に必要なスナップ部材に対する一定かつ強固な把持力を簡単に得ることができるスナップ部材の外し力測定装置及び方法と、そのような外し力測定試験に使用するスナップ把持装置を提供することにある。
【課題を解決するための手段】
【００１１】
本発明によれば、生地に取り付けられたスナップ部材の外し力を測定する装置であって、生地に取り付けられたスナップ部材の周囲で生地を押さえる生地押さえ手段と、スナップ部材をその側部から複数の把持部で把持するスナップ把持手段と、スナップ把持手段によって把持されたスナップ部材にトルクをかけるためトルク付加手段と、スナップ把持手段によって把持されたスナップ部材を、生地押さえ手段によって押さえられた生地から相対的に引っ張る引張手段と、引張手段による引っ張り力を測定する測定手段とを備えたスナップ部材の外し力測定装置が提供される。
【００１２】
本発明では、トルク付加手段によりスナップ部材にトルク（ねじり）をかけた後、スナップ部材の引っ張り試験を行うことができるため、スナップ部材にトルクをかけた後の外し力を保証することができる。トルク付加手段としては、スナップ把持手段の把持部を介してスナップ部材にトルクを与えることができるトルクゲージ等を好ましく使用することができるが、トルクレンチ等も用いることができる。トルク付加試験方法は、審査機関により認可されているもの、例えば、イ）スナップ部材が初期状態から１８０度回動するか、ロ）トルクが所定値（例えば０．５６Ｎ−ｍ）に達するか、又は、ハ）最大回転又は上記トルク所定値が１０秒間維持されるまで、スナップ部材に対し５秒間で徐々に時計回りにトルクをかけることによって行うことができる。
【００１３】
本発明の一実施形態において、前記スナップ把持手段は、前記把持部によるスナップ部材に対する把持状態を一定の把持力にてロックするロック機構を含む。かかるロック機構により、トルク付加時に把持部によるスナップ部材の把持力を容易に一定とすることができるため、トルク付加試験のばらつきをなくし、作業効率を高めることができる。ロック機構は、把持部がスナップ部材を把持する把持（閉じ）径（スナップ部材の径より若干小さい）を一定に固定することによって一定の把持力を得ることができるもので、その具体例は発明の最良の形態の欄で述べる。
【００１４】
本発明の一実施形態において、前記スナップ把持手段は、前記把持部をスナップ部材の側部に押し付けさせるための弾性部材を含み、前記ロック機構は、ロック状態において、該弾性部材による把持部のスナップ部材に対する把持力を補強する。この場合、弾性力のみによる把持部によるスナップ部材の把持では、トルク付加時に把持部がスナップ側部上を滑ったり、把持力が安定しないが、該ロック機構によりその弾性力を補強しつつ把持力を一定とすることが可能となる。
【００１５】
本発明の一実施形態において、前記ロック機構は、スナップ部材の複数種類の径にそれぞれ対応する複数種類の把持力にて前記把持状態のロックを可能とする把持力調整手段を含む。この把持力調整手段により、径が異なるスナップ部材に対し最適な一定把持力を簡単に得ることができる。
【００１６】
別の本発明によれば、生地に取り付けられたスナップ部材をその側部から把持するためのスナップ把持装置であって、スナップ部材の側部を把持部で把持する複数の把持部材と、把持部材の把持部によるスナップ部材に対する把持状態を一定の把持力にてロックするロック機構とを備えたスナップ把持装置が提供される。このスナップ把持装置は、上述した本発明に係るスナップ部材の外し力測定装置におけるスナップ把持手段として使用するためのもので、前記把持部材の把持部をスナップ部材の側部に押し付けさせるための弾性部材を備え、前記ロック機構は、ロック状態において、該弾性部材による把持部のスナップ部材に対する把持力を補強するものとすることができる。また、前記ロック機構は、スナップ部材の複数種類の径にそれぞれ対応する複数種類の把持力にて前記把持状態のロックを可能とする把持力調整手段を含むことができる。
【００１７】
更に別の本発明によれば、生地に取り付けられたスナップ部材の外し力を測定する方法であって、生地に取り付けられたスナップ部材の周囲で生地を押さえる工程と、周囲の生地が押さえられたスナップ部材にトルクをかけるトルク付加工程と、トルク解除後、スナップ部材を周囲の生地から相対的に引っ張る工程と、この引っ張り力を測定する工程とを含むスナップ部材の外し力測定方法が提供される。本発明では、トルク付加工程によりスナップ部材にトルクをかけた後、スナップ部材の引っ張り試験を行うことができるため、スナップ部材にトルクをかけた後の外し力を保証することができる。また、前記トルク付加工程前に、スナップ部材をその側部から複数の把持部で把持する工程と、前記把持部によるスナップ部材に対する把持状態を一定の把持力にてロックする工程とを含み、該トルク付加工程は、前記把持部にトルクを与え、これをスナップ部材に伝達するものとすることができる。
【発明を実施するための最良の形態】
【００１８】
以下、図面を参照して本発明の好適な実施形態を説明する。図１は、本発明の一実施形態に係るスナップ部材の外し力測定装置の全体構成図である。この測定装置は、生地に取り付けられた状態のスナップ部材（図１０等参照）を載せるダイ１１を含むステージ１０と、ダイ１１上でスナップ部材の周囲の生地部分を生地押さえアーム２１で押さえ付ける生地押さえユニット２０と、スナップ部材をその側部から三個のジョー６１で把持（チャック）するスナップ把持ユニット６０と、スナップ把持ユニット６０のジョー６１等を介してスナップ部材にトルクをかけるためのトルク付加手段としての市販のトルクゲージ５０と、スナップ部材を生地から相対的に引っ張るため、ジョー６１によって把持したスナップ部材側を静止させ、生地押さえアーム２１で押さえた生地側をステージ１０及び生地押さえユニット２０と共に降下させる引張ユニット３０と、引張ユニット３０による引っ張り力を測定する測定手段としての引張力ゲージ（図示せず）と、以上の構成を支持する支持フレーム４０とから構成される。スナップ把持ユニット６０は、詳細は後述するが、ジョー６１によるスナップ部材の把持状態を補強しつつ一定の把持力に固定することができるロック機構を含む。
【００１９】
ステージ１０は、ダイ１１を、複数枚の皿ばねを交互に逆向きに積層して成る弾性ばね部１２を介して支持する支持ブロック１３を有し、この支持ブロックを生地押さえユニット２０も支持ベースとして共有している。ユニット２０は、ＷＯ０３／１０２５２５Ａ１に開示される生地押さえ手段と実質的に同様のものであるため、詳述はしないが、略Ｌ字状の生地押さえアーム２１が支持ブロック１３から立ち上がったサポート部材２２の上端部の支持軸２３を介して揺動可能に支持され、サポート部材２２とアーム２１の間に、アーム２１の先端部がダイ１１の上面から離れる方向にアーム２１を付勢するばね２４が設けられ、回動軸２５に連結されたレバー２６を一方向（反時計回り方向）に回動操作すると、ばね２４の付勢に抗しかつ図示しないカム作用を介してアーム２１による生地の押さえ付けが行われ、他方向への回動により、その押さえ付けが解除されるように構成されている。
【００２０】
引張ユニット３０は、本装置がスナップ部材に対し上方のトルクゲージ５０からトルクを伝達する構成としたため（後述）、固定したスナップ部材に対し生地側を下方に引っ張るようにしたもので、モータ３１と、モータ３１の出力をかさ歯車３２、３３を介して受けて回転する台形ねじ３４と、下端部が台形ねじ３４と螺合し、台形ねじ３４の回転に伴って降下する円筒状のシャフト３５とを備え、シャフト３５がベース１０及び生地押さえユニット２０の支持ブロック１３に連結されている。台形ねじ３４及びシャフト３５の軸線はダイ１１上のスナップ部材と同心とされ、また、シャフト３５は回転止め３６により昇降時の回転が防止される。
【００２１】
図２〜５を参照して、スナップ把持ユニット６０は、円周方向に所定間隔を空けて配置した３個のジョー６１を、その先端の把持部６１Ａが各々離間した開き径の状態と、各々接近した閉じ径の状態とに開閉（スナップ部材の半径方向内外へ変位）するように支持軸６２によって回動自在に支持するジョー支持板６３と、ジョー把持部６１Ａが開放するようにジョー６１の基端部を半径方向内側に付勢するばね（Ｏリング等であってもよい）６４と、ばね６４の付勢に抗してジョー基端部を半径方向外側に変位させて把持部６１Ａを閉じるためのジョー開閉駆動部材６５とを備える。ジョー支持板６３、及び図２に参照番号６３Ａで示す部材は、ねじ付きの下方ロッド６６の下端部と連結され、部材６３Ａは、ジョー６１で挟み込んだスナップ部材が上方へ移動しないように、スナップ部材を下方へ向けて押さえ込む役割を果たす。下方ロッド６６の上端部は、ロッド連結部材６７にナット６８等によって固定される。この際、ロッド連結部材６７の固定位置をナット６８により調整することができる。また、トルクゲージ５０の断面六角形の出力部５１と係合可能なジョイント６９Ａを上端部に有する上方ロッド６９は、その下端部がロッド連結部材６７にピン７０によって連結される。これら上方ロッド６９、ロッド連結部材６７及び下方ロッド６６は、ダイ１１上のスナップ部材と同心鉛直状に配置され、トルクゲージ５０からのトルクをジョー支持板６３に伝達するトルク伝達経路を構成する。更に、上方ロッド６９の上端部付近が支持アーム４０から延びるロッドエンド４１（図１参照）に受け入れられ、その直ぐ上で、上方ロッド６９を直径方向に貫通するピン７１がロッドエンド４１に支持されることにより、上方ロッド６９及びその下方に連結される把持ユニット構造の荷重が支持フレーム４０に支えられる。
【００２２】
ジョー開閉駆動部材６５は、ジョー６１間に入り込ませる、外径が下方へと次第に縮小するテーパー部６５Ａと、上部の鍔部６５Ｂとを有し、鍔部６５Ｂは、ジョー開閉駆動部材６５を下方に付勢するばね７２の下端を受ける。ばね７２の上端は、ロッド連結部材６７に対し位置固定ねじ７３によって固定されるロック機構支持板８０の下面に受けられる。なお、ばね７２はコイル状を呈し、下方ロッド６６の周囲に巻回する形態となるように配置されている。ジョー開閉駆動部材６５は、操作者の手動によりばね７２の付勢に抗して下方ロッド６６に沿って（これとは螺合しない）上方に移動させることができる。更に、テーパー部６５Ａには、二つの段部６５Ｃ、６５Ｄが設けら、各段部６５Ｃ、６５Ｄをジョー基端部内側と係合させた状態でジョー開閉駆動部材６５を静止させることができ（図６参照）、この静止状態は、操作者がジョー開閉駆動部材６５に下向きの力を加えることにより解除される。
【００２３】
次にロック機構について説明する。ロック機構は、ロック機構支持板８０に直径方向に設けた二つの支持軸８１にそれぞれ回動可能に支持される二本の回動アーム８２を備える。これら各回動アーム８２は、基端側が下方ロッド６６を挟んだ左右位置にてロック機構支持板８０に支持され、その先端側は連結部材８３によって連結され、これにより、各アーム８２が常に共に回動するようにされている。回動アーム８２の先端面８２Ａは、その長さ方向（アーム径方向）と直交する幅方向にゆるやかな凸状とされ、その頂点８２Ｂと支持軸８１の中心との距離がアーム径となる。これにより、頂点８２Ｂがアーム８２の回動にともなって開閉駆動部材６５の鍔部６５Ｂに滑らかに接し、徐々に開閉駆動部材６５へ押し下げ力を加えることができる。また、アーム径とロック機構支持板８０の下方ロッド６６に対する位置は、回動アーム８２が、アーム長手軸線（頂点８２Ｂと支持軸８１の中心とを結ぶ線）が下方ロッド６６の軸線と平行になるように、ジョー開閉駆動部材６５の鍔部６５Ｂの上面に対して鉛直位置（ロック位置）に置かれた際（図８参照）、先端面８２Ａがジョー開閉駆動部材６５の鍔部６５Ｂに接し、鍔部６５Ｂを下方に押し下げ、テーパー部６５Ａのジョー６１間への入り込み程度を一定にする。このとき、各アーム８２の先端面８２Ａが、下方ロッド６６を挟んだ左右位置で鍔部６５Ｂに接するので、鍔部６５Ｂに対する押し上げ力を左右均等にすることができる。これにより決定するジョー把持部６１Ａの閉じ径が、スナップ部材の側部を変形させない程度にしっかりと締め付け、トルク付加時に把持部６１Ａがスナップ側部上を滑らないように設定される。このロック状態で、把持部６１Ａの上記閉じ径は、一定でスナップ部材の直径よりも若干小さく、また、把持部６１Ａによるスナップ部材の把持力は一定となる。このロック状態は、例えば連結部８３を持ってアーム８２を手前に引き寄せるように回動させることにより、簡単に解除することができる。
【００２４】
また、回動アーム８２のアーム径をスナップ部材の径に対応させて調整できるように、アーム８２の回動中心位置を切り換えることができるアーム径調整部が設けられている。アーム径調整部は、支持軸８１と、この支持軸８１を受け入れるアーム８２の基端側の開口８４とで構成されており、支持軸８１が開口８４内を移動し、支持軸８１を開口８４内の所定位置に位置決めすることができる。すなわち、図３に示すように、支持軸８１は、円形の上下端部が水平に切り欠かれた断面にされ、他方、開口８４は、アーム径方向に複数の円形状開口部分８４Ａ、８４Ｂ、８４Ｃが一部重複しながら連続する形状とされる。これにより、通常のアーム使用回動域では、支持軸８１と開口８４の一つの円形状開口部分８４Ａ、８４Ｂ、８４Ｃとの連結は外れないが、アーム８２を水平に持ち上げることにより、開口８４の他の隣り合う円形状開口部分へと支持軸８１を移動させて、アーム径を段階的に変更することができる。なお、好ましくは、三つの円形状開口部分を連続させ、アーム径の調整を、スナップ部材の直径の大サイズ、中サイズ、小サイズに応じて三段階に変更可能とすれば良い。また、回動アーム８２に設けられた長穴８５（図３参照）は、ロッド連結部材６７に対する下方ロッド６６の位置を調整するために、ねじ８６を締めたりゆるめたりするためのものである。
【００２５】
次に、以上のように構成されたスナップ部材の外し力測定装置の使用状態により、本発明に係るスナップ部材の外し力測定方法を説明する。まず、ダイ１１上に生地に取り付けられたスナップ部材を載せ、生地押さえユニット２０の生地押さえアーム２１でスナップ部材の周囲の生地部分をダイ１１に対して押さえ付ける。次に、ジョー把持部６１Ａがスナップ部材の側部に対し間を置いた状態（図６参照）から、ジョー開閉駆動部材６５を降下させて、ばね７２の弾性力のみによってジョー把持部６１Ａがスナップ側部を把持する状態とする（図７参照）。仮にこの状態でスナップ部材にトルクをかけた場合、ジョー把持部６１Ａがスナップ側部上を滑ったり、ばね７２の弾性力のみでは把持力が一定しないといった不都合が生じる。そこで、次に、ロック機構の回動アーム８２を上述したロック位置まで回動させる（図８参照）。これにより、ジョー開閉駆動部材６５のテーパー部６５Ａが若干押し下げられ、ばね力でスナップ部材を把持しているジョー把持部６１Ａが若干径方向内側へ変位し、ジョー把持部６１Ａに、ばね力を補強しつつ、一定の把持力でスナップ部材を強固に締め付けさせることができる（ロック状態）。このロック状態において、スナップ部材の側部が三個のジョー６１の把持部６１Ａによって把持されている状態が図９に示される。該図に示すように、把持部６１Ａは、円弧面を有するが、この円弧の径はスナップ径よりもわずかに小さく、これにより、各円弧面の両端がスナップ側部に食い込むようになり、これがトルク付加時にスナップ側部上を把持部６１Ａが滑らないための抵抗の役割を果たす。このような抵抗を付与するため、把持部６１Ａの円弧面にナシ地加工等を施すことができる。
【００２６】
次に、このロック状態で、トルクゲージ５０の出力部５１を上方ロッド６９のジョイント６９Ａに接続し、操作者が手動によりトルクゲージ５０を所定の時間及び／又は角度だけ回動させる。このトルクは、既述したように、上方ロッド６９、ロッド連結部材６７、下方ロッド６６を介してジョー支持板６３に伝達され、これがジョー６１の把持部６１Ａからスナップ部材に与えられる。所定のトルク付加工程、すなわち生地面に対して垂直な軸線を中心にしてスナップ部材に回転力を加える工程が終わったら、スナップロック状態のまま引張ユニット３０を作動させ、生地側を下方に引っ張り、この引っ張り力を測定する。
【図面の簡単な説明】
【００２７】
【図１】本発明に係るスナップ部材の外し力測定装置の全体構成図である。
【図２】スナップ把持ユニットの正面図である。
【図３】スナップ把持ユニットの側面図である。
【図４】スナップ把持ユニットの平面図である。
【図５】図３のＡ−Ａ線に沿ったスナップ把持ユニットの断面図である。
【図６】スナップ把持前でロック前の状態を示す側面説明図である。
【図７】スナップ把持後でロック前の状態を示す側面説明図である。
【図８】スナップ把持後でロック後の状態を示す側面説明図である。
【図９】図８のロック状態におけるジョー把持部によるスナップ部材の把持状態を示す平面説明図である。
【図１０】雄スナップ及び雌スナップの生地に取り付けられた状態を示す断面説明図である。
【符号の説明】
【００２８】
１０  ステージ
１１  ダイ
２０  生地押さえユニット
２１  生地押さえアーム
３０  引張ユニット
４０  支持フレーム
５０  トルクゲージ
６０  スナップ把持ユニット
６１  ジョー
６１Ａ  把持部
６２  支持軸
６３  ジョー支持板
６４  ばね
６５  ジョー開閉駆動部材
６５Ａ  テーパー部
６５Ｂ  鍔部
６６  下方ロッド
６７  ロッド連結部材
６９  上方ロッド
７２  ばね
８０  ロック機構支持板
８１  支持軸
８２  回動アーム
８３  連結部材
８４  開口
【図１】
0004884312.tif 000002
【図２】
0004884312.tif 000003
【図３】
0004884312.tif 000004
【図４】
0004884312.tif 000005
【図５】
0004884312.tif 000006
【図６】
0004884312.tif 000007
【図７】
0004884312.tif 000008
【図８】
0004884312.tif 000009
【図９】
0004884312.tif 000010
【図１０】
0004884312.tif 000011